(57)【要約】  一端の開口部に空気の吹込み口２、他端の開口部に把持手段３を備え、かつ一端の開口部から他端の開口部までが貫通孔Ｘで連通された筒状体からなる本体Ａと、把持手段３により把持される被把持物Ｂとを有する多機能ホルダー１であって、  把持手段３は、被把持物Ｂを着脱自在に把持できる把持・リリース機構で構成され、さらに被把持物Ｂの代わりに風船のリング状口筒１４をシール部材を用いて気密に把持できることを特徴とする多機能ホルダーである。  これにより、筒状で形成された小型かつ簡単な構成からなる、マスコット人形や風船等を取付可能な本体を備えた多機能ホルダーにおいて、風船を取り付けた場合には膨らませた風船を飛ばすこともできる多機能ホルダーを提供する。【特許請求の範囲】
【請求項１】
一端の開口部に空気の吹込み口、他端の開口部に把持手段を備え、かつ前記一端の開口部から他端の開口部までが貫通孔で連通された筒状体からなる本体と、前記把持手段により把持される被把持物とを有する多機能ホルダーであって、
前記把持手段は、前記被把持物を着脱自在に把持できる把持・リリース機構で構成され、さらに前記被把持物の代わりに風船のリング状口筒をシール部材を用いて気密に把持できることを特徴とする多機能ホルダー。
【請求項２】
前記把持手段は、内筒と、前記内筒の外周側にスライド可能に覆設された外筒と、前記内筒の外周面から内周面まで貫通された複数個の小穴と、前記小穴の内周面側の径よりも若干大きな外径を備え前記小穴にその一部が挿入されるとともに前記外筒の内周面により押圧される小球と、を備えており、
前記把持・リリース機構は、前記小球が前記外筒の内周面に押圧されることで前記小球の一部が内筒内に突出することにより前記被把持物又は前記風船に装着されたリング状口筒を把持し、前記吹込み口が設けられた方向へ前記外筒をスライドさせることにより前記小球の押圧状態を解除することを特徴とする請求の範囲１に記載の多機能ホルダー。
【請求項３】
前記被把持物はマスコットを構成し、前記把持手段が前記被把持物を把持することにより前記外筒が前記マスコットの一部となることを特徴とする請求の範囲１に記載の多機能ホルダー。
【請求項４】
前記シール部材は、Ｏリングであることを特徴とする請求の範囲１に記載の多機能ホルダー。
【請求項５】
前記シール部材は、独立発泡型のスポンジからなる平パッキンであることを特徴とする請求の範囲１に記載の多機能ホルダー。
【請求項６】
前記外筒の一部には鍔状部が形成されていることを特徴とする請求の範囲１に記載の多機能ホルダー。
【請求項７】
前記他端の開口部は、半径方向に拡径していることを特徴とする請求の範囲２に記載の多機能ホルダー。
【請求項８】
前記貫通孔には、前記他端の開口部から、前記一端の開口部へ流れる空気を遮断する逆止弁が装着されていることを特徴とする請求の範囲１に記載の多機能ホルダー。
【請求項９】
前記他端の開口部には、逆止弁を備えるポンプが装着されていることを特徴とする請求の範囲１に記載の多機能ホルダー。
【請求項１０】
前記本体の一部には、ストラップを取り付けるためのストラップ取付手段が形成されていることを特徴とする請求の範囲１に記載の多機能ホルダー。
【請求項１１】
前記吹込み口には、キャップが取り付けられていることを特徴とする請求の範囲１に記載の多機能ホルダー。
【発明の詳細な説明】
【技術分野】
【０００１】
マスコット人形や風船等を取付けて把持することが可能であり、かつ風船取付時には風船に空気を吹込み、この風船を空中へ飛翔させることができる多機能ホルダーに関する。
【背景技術】
【０００２】
子供の玩具として、またスポーツ観戦、特に野球観戦やサッカー観戦においてファンがひいきチーム応援の一環として、アニメのキャラクター人形やチームのマスコット人形、人気選手のデフォルメ人形等を身につけたり、風船を一斉に飛翔させたりすることが慣習として行われている。【０００３】
ここで、例えば野球観戦時における風船の飛翔は所定回に行われるが、飛翔させるための事前準備、具体的には、風船を取り出し、その中へ空気を吹込み、飛ばす等の準備は、概ね飛翔させる回の前の相手方チームの攻撃中に行われている。
風船への空気の吹込みは、風船の大きさによって異なるが、１回の吹込みのみでは不足し、通常、２〜３回に分けて行われ、空気が吹き込まれた風船は空気がもれないように吹込み口を２本の指先で挟むことにより保持されている。【０００４】
ところが、試合の状況により相手方チームの攻撃が予測時間以上に長引き、飛翔させるタイミングが予測と違ってしまうことがある。このような場合、空気が吹き込まれた風船の吹込み口は長い時間指先で空気が漏れないようにして挟持し続けなければならず、この挟持には力がいるため子供にとっても大人にとっても苦痛になってしまうことがある。この苦痛は、両方の手に１個ずつ保持している場合は、更に増大し、待ちきれずにせっかく封入した空気を抜いてしまい、再度、吹き込まなければならない事態も生じ、そうなると、飛翔するタイミングを失してしまうことがある。【０００５】
このような観点からの不都合を解消することを目的とした従来技術として、風船に空気を吹込み、この風船を空中へ飛翔させる風船飛翔玩具等について、いくつか特許文献に開示されている（例えば、下記特許文献１〜３参照）。【０００６】
図１０は、下記特許文献１に記載された風船飛翔玩具の断面図である。
この風船飛翔玩具は、風船１０１の口部に取り付けた口筒１０２が着脱自在な風船連結体１０３と風船連結体１０３を介して風船１０１内に空気を送入して膨らまし状態とする空気ポンプ１０４と、風船１０１の口部に取り付けた口筒１０２に対し係止して風船連結体１０３からの風船１０１の離脱を防止すると共にその係止状態を解除して風船１０１内の空気の噴出による風船１０１の飛び出しを可能とするストッパー１０５と、カム機構等を介して空気ポンプ１０４を圧縮することによって空気ポンプ１０４による空気の送り出しを可能とする回転操作用のハンドル１０６とを備えて構成されている。この風船飛翔玩具によれば、ハンドル１０６を回転させるだけで空気ポンプ１０４から風船１０１内に空気が送り込まれて風船１０１が膨らむことになるので、操作が容易となるという効果を奏するものである。【０００７】
また、図１１は、下記特許文献２に記載されている空気ポンプを備えた風船玩具の断面図である。
この風船玩具は、連結パイプ２０１の一端に空気ポンプ２０２を備え、所定風船２０３の口部内に強制嵌入した口筒２０４を連結パイプ２０１の他端に着脱自在に嵌着し、風船２０３内の圧縮空気によって連結パイプ２０１から飛び出し付勢される口筒２０４を係脱自在に固定せしめるストッパーを連結パイプ２０１に設けた構成を備えている。この風船玩具によれば、風船玩具と風船ポンプがコンパクトに一体化し、膨らませた風船をいつでも発射させることが可能となるという効果を奏するものである。【０００８】
また、図１２は、下記特許文献３に記載されている風船ポンプの斜視図である。
この風船ポンプは、外筒３０１の一端と、該外筒に摺接する内筒３０２の一端とにそれぞれ逆止弁３０３を取り付けるとともに、上記外筒３０１に逆止弁３０３を覆うようにして、通気口３０４を有するキャップを冠せてなる構成を備えている。この構成によれば、内筒３０２を外筒３０１に突入させることで通気孔３０４から効率よく風船内に空気を取り入れることができ、また、外筒３０１内に空気を取り入れるため、内筒３０２を脱出方向へ摺動させたときにおいても、逆止弁３０３により外筒３０１内への空気の逆流を防ぐことができ、他方、内筒３０２内には空気を流入させることができるという効果を奏するものである。【０００９】
また、従来、人形等にストラップを取付け、このストラップをバッグ等に取り付けることで持ち運びが便利となるようになされたものが広く知られていた。【００１０】
【特許文献１】実開平７−１９９４号公報（図３、段落〔０００４〕）
【特許文献２】実開昭６３−１５９４号公報（請求項１）
【特許文献３】実開昭５９−１９０９８０号公報（考案の詳細な説明）
【発明の開示】
【発明が解決しようとする課題】
【００１１】
しかし、上記特許文献１及び２に記載の「風船飛翔玩具」及び「風船玩具」の発明によれば、本体部分と持ち手部分とが別体で構成されているため、装置全体が大きくなってしまい、メガホン等の他の応援グッズをも有している観戦ファンにとっては荷物がかさばる原因となるのみならず、複数部材で構成されているために故障しやすいものとなっていた。また、風船を把持するための手段が、風船の空気導入口部分の一端部を片持ちで係止するのみでは、均等に風船を把持することができず、スムーズに風船をリリースできないことから、狙った方向に確実に風船を飛ばすことができなかった。【００１２】
また、上記特許文献３に記載の「風船ポンプ」の発明によれば、簡単に風船を膨らませることはできても、それ自体で風船を飛ばすことができず、上述のような所望の目的を果たすことができない。【００１３】
さらに、一般のストラップ付きの人形は、紐状のストラップのみで人形を把持しているために、ストラップが切れたり裂けたりすることで紛失することもあり、このような事態を避けるようにしたいという要望もあった。このような場合、人形を取り付けるための専用の部材があれば便利であるが、前記の風船飛翔玩具とは別に部材を用意するとなると、更に荷物がかさばってしまうこととなる。【００１４】
本願の発明者は、上記の従来技術の問題点を解消すべく種々検討を重ねた結果、筒状で形成された小型かつ簡単な構成からなる、マスコット人形や風船等を取付可能な本体を備えた多機能ホルダーにおいて、風船を取り付けた場合には膨らませた風船を飛ばすこともできる多機能ホルダーを提供するに至った。
【課題を解決するための手段】
【００１５】
上記課題を解決するために、本発明の多機能ホルダーは、一端の開口部に空気の吹込み口、他端の開口部に把持手段を備え、かつ前記一端の開口部から他端の開口部までが貫通孔で連通された筒状体からなる本体と、前記把持手段により把持される被把持物とを有する多機能ホルダーであって、
前記把持手段は、前記被把持物を着脱自在に把持できる把持・リリース機構で構成され、さらに前記被把持物の代わりに風船のリング状口筒をシール部材を用いて気密に把持できることを特徴とするものである。【００１６】
また本発明は、前記多機能ホルダーにおいて、前記把持手段は、内筒と、前記内筒の外周側にスライド可能に覆設された外筒と、前記内筒の外周面から内周面まで貫通された複数個の小穴と、前記小穴の内周面側の径よりも若干大きな外径を備え前記小穴にその一部が挿入されるとともに前記外筒の内周面により押圧される小球と、を備えており、
前記把持・リリース機構は、前記小球が前記外筒の内周面に押圧されることで前記小球の一部が内筒内に突出することにより前記被把持物又は前記風船に装着されたリング状口筒を把持し、前記吹込み口が設けられた方向へ前記外筒をスライドさせることにより前記小球の押圧状態を解除することを特徴とするものである。【００１７】
また本発明は、前記多機能ホルダーにおいて、前記被把持物はマスコットを構成し、前記把持手段が前記被把持物を把持することにより前記外筒が前記マスコットの一部となることを特徴とするものである。【００１８】
また本発明は、前記多機能ホルダーにおいて、前記シール部材は、Ｏリングであることを特徴とするものである。【００１９】
また本発明は、前記多機能ホルダーにおいて、前記シール部材は、独立発泡型のスポンジからなる平パッキンであることを特徴とするものである。【００２０】
また本発明は、前記多機能ホルダーにおいて、前記外筒の一部には鍔状部が形成されていることを特徴とするものである。【００２１】
また本発明は、前記多機能ホルダーにおいて、前記他端の開口部は、半径方向に拡径していることを特徴とするものである。【００２２】
また本発明は、前記多機能ホルダーにおいて、前記貫通孔には、前記他端の開口部から、前記一端の開口部へ流れる空気を遮断する逆止弁が装着されていることを特徴とするものである。【００２３】
また本発明は、前記多機能ホルダーにおいて、前記他端の開口部には、逆止弁を備えるポンプが装着されていることを特徴とするものである。【００２４】
また本発明は、前記多機能ホルダーにおいて、前記本体の一部には、ストラップを取り付けるためのストラップ取付手段が形成されていることを特徴とするものである。【００２５】
また本発明は、前記多機能ホルダーにおいて、前記吹込み口には、キャップが取り付けられていることを特徴とするものである。
【発明の効果】
【００２６】
本発明においては、多機能ホルダーは、一端の開口部から他端の開口部までが貫通孔で連通された筒状体からなる本体を主構成部分とするので、小型で簡単な構成であり、使い勝手がよく便利である上、荷物のかさばりを防ぐこともできる。また、把持手段は、被把持物を着脱自在に把持できる把持・リリース機構で構成されるので、被把持物の紛失を防ぎ、かつ持ち運びを便利にすることができる。さらに被把持物の代わりに風船のリング状口筒をシール部材を用いて気密に把持できるので、風船を把持したまま貫通孔を通じた空気の吹込みにより風船を膨らませ、把持手段の把持・リリース機構により風船を飛翔させることもできる。【００２７】
また、上記発明においては、把持手段は、内筒の外周側に覆設された外筒と、内筒の外周面から内周面まで貫通された複数個の小穴にその一部が挿入される小球が、内筒の外周側に覆設された外筒の内周面により押圧され内筒内に一部突出して被把持物又はリング状口筒を把持するので、確実に被把持物の脱落を防止できる。
また、把持・リリース機構は、吹込み口が設けられた方向へ外筒をスライドさせることにより小球の押圧状態を均等に解除するので、確実に被把持物を取り外し又は狙った方向に確実に風船を飛翔させることができる。【００２８】
また、上記発明においては、被把持物はマスコットを構成し、把持手段がマスコットを把持することにより外筒が前記マスコットの一部となるので、被把持物と外筒とが一体となってマスコットの視覚的効果を楽しむことができ、スポーツ観戦等の応援グッズとしてチームのマスコット人形や選手のデフォルメ人形等を身に付けることができる。【００２９】
また、上記発明においては、シール部材は、Ｏリングであるので、比較的安価でかつコンパクトであるためスペースが小さくてすみ、内筒の内周沿い方向に有効なシールが可能である。【００３０】
また、上記発明においては、シール部材は、平パッキンであるので、風船のリング状口筒と多機能ホルダー本体との間を面接触してより効果的なシール性を有し、また独立発泡型のスポンジからなるので、着脱に負担がなく低圧力でもさらに効果的なシール性を有する。【００３１】
また、上記発明においては、外筒の一部には鍔状部が形成されているので、この鍔状部に指を掛けることで外筒のスライド移動が容易となる。【００３２】
また、上記発明においては、外筒の開口縁は、半径方向に拡径しているので、空気が吹き込まれて膨らんだ風船を支持することができ、風船の動きを規制し狙った方向へ風船を飛ばすことができる。【００３３】
また、上記発明においては、貫通孔には、被把持物である風船内へ吹き込まれた空気が吹込み口側へ逆流するのを阻止する逆止弁が装着されているので、風船の空気導入口を指等で挟持しなくても、吹き込んだ空気が逆流して風船がしぼんでしまう心配がなく、風船を飛ばす所定のタイミングまで楽に待機することができる。【００３４】
また、上記発明においては、空気の吹き込み口側の開口部には、逆止弁を備えるポンプが装着されているので、直接息を吹き込む必要がなくポンプの膨出部を握るように操作するのみで楽に空気を送入することができる。【００３５】
また、上記発明においては、本体の一部には、ストラップを取り付けるためのストラップ取付手段が形成されているので、ストラップを用いて多機能ホルダーを首から下げたり、カバンに結んだりすることができるので、携帯性が向上する。【００３６】
また、上記発明においては、前記吹込み口には、キャップが取り付けられているので、多機能ホルダーの不使用時には、吹込み口からゴミが入り込まないようにして、ゴミの侵入による筒内の逆止弁の故障を防ぎ、また、吹込み口の清潔を保つことができる。
【図面の簡単な説明】
【００３７】
【図１】図１は、被把持物としてマスコット人形を表した、本発明に係る多機能ホルダーの正面図。
【図２】図２は本発明に係る多機能ホルダーの本体の正面図。
【図３】図３は本発明に係る多機能ホルダーの本体の側面図。
【図４】図４は本発明に係る多機能ホルダーの本体の底面側斜視図。
【図５】図５は本発明に係る多機能ホルダーの本体の底面図。
【図６】図６は本発明に係る多機能ホルダーの本体の分解斜視図。
【図７】図７は本発明に係る多機能ホルダーの本体の一部断面図であり、図７Ａはシール部材としてＯリングを用いた多機能ホルダーを示す図、図７Ｂはシール部材として平パッキンを用いた多機能ホルダーを示す図。
【図８】図８は本発明に係る多機能ホルダーの他の実施形態を示す本体の一部断面図。
【図９】図９は本発明に係る多機能ホルダーの他の実施形態を示す本体の正面図。
【図１０】図１０は上記特許文献１に記載された風船飛翔玩具の断面図。
【図１１】図１１は上記特許文献２に記載されている空気ポンプを備えた風船玩具の断面図。
【図１２】図１２は上記特許文献３に記載されている風船ポンプの斜視図。
【符号の説明】
【００３８】
Ａ              本体
Ｂ              被把持物
Ｃ              ポンプ
１              多機能ホルダー
２              吹込み口
３              把持手段
４              握り部
５              小穴
６              外筒
７              内筒
８              鍔状部
９              ストップリング
１０            バネ
１１            逆止弁
１２            小球
１３ａ〜１３ｄ  段部
１４            リング状口筒
１５            突出部
１６            Ｏリング
１６'          平パッキン
２１            吹込み口の先端部
４１            ストラップ取付部
４２            プレート取付部
【発明を実施するための最良の形態】
【００３９】
以下、本発明の具体例を実施例及び図面を用いて詳細に説明する。図１は被把持物としてマスコット人形を表した本発明に係る多機能ホルダーの正面図、図２は本発明に係る多機能ホルダーの本体の正面図、図３は本発明に係る多機能ホルダーの本体の側面図、図４は本発明に係る多機能ホルダーの本体の底面側斜視図、図５は本発明に係る多機能ホルダーの本体の底面図、図６は本発明に係る多機能ホルダーの本体の分解斜視図、図７は本発明に係る多機能ホルダーの本体の一部断面図であり、図７Ａはシール部材としてＯリングを用いた多機能ホルダーを示す図、図７Ｂはシール部材として平パッキンを用いた多機能ホルダーを示す図、図８は本発明に係る多機能ホルダーの他の実施形態を示す本体の一部断面図である。図９は本発明に係る多機能ホルダーの他の実施形態を示す本体の正面図である。
【実施例１】
【００４０】
まず、多機能ホルダー１の構成について、図１〜図７を用いて説明する。ここで、図１に示すように、多機能ホルダー１は本体Ａと被把持物Ｂとからなり、被把持物としては野球選手のマスコット人形が示されている。本体Ａはこのマスコット人形の頭部を構成し、被把持物Ｂと一体となって一つのマスコット人形を形成している。この被把持物Ｂの人形の代わりに風船を用いることもでき、以下には、風船を取り付けた場合の本体の構成を中心に説明する。【００４１】
図１〜図４に示すように、多機能ホルダー１の本体Ａは、一端の開口部に空気の吹込み口２と、他端の開口部に把持手段３と、吹込み口２と把持手段３との間に握り部４を備え、一端の開口部から他端の開口部までが貫通孔Ｘで連通された筒状体からなる。なお、多機能ホルダー１の本体Ａは、吹込み口２と、握り部４と、内筒７と、内筒７の外周端部に形成された小穴５とから構成され、図５及び図６に示されている。【００４２】
空気の吹込み口２は、円形の開口を有し、ポンプ等の空気吹込み機器が外れにくいよう先端部２１は膨出した形状となっている。この開口幅は空気吹込み機器を取り付けやすいような幅、若しくは人の口の大きさに合わせた幅に形成されている。人の口の大きさは人によって様々であるので、例えば、大人用と子供用、男性用と女性用等様々な大きさに形成することができる。【００４３】
図５及び図６に示すように、把持手段３は、小穴５と、外筒６と、内筒７と、鍔状部８と、ストップリング９と、バネ１０と、小球１２と、Ｏリング１６とを備えている。複数個の小穴５は、内筒７の外周端部に形成されており、これらの小穴５には小球１２が挿入される。【００４４】
握り部４は、波状に形成されており、多機能ホルダー１を確実に握持できるように握りやすくなっている。なお、握り部４は人の手の大きさに合わせて形成されるが、人の手の大きさは人によって様々であるので、例えば、大人用と子供用、男性用と女性用等様々な大きさに形成することができる。握り部４の吹込み口２側の一側端にはストラップを取り付けるためのストラップ取付部４１が形成されている。また、握り部４の中央部分には矩形状に凹部をなしたプレート取付手段４２が形成されており、自分のネームプレートやひいきチームのロゴ入りプレート等を取り付けることができるようになっている。【００４５】
また、ほぼ椀型に握り部４の一端から半径方向へ広げて形成された外筒６の開口縁には、水平方向に延出された鍔状部８が形成されている。この鍔状部８は開口部分から突出しているため、指を掛けやすくなっており、これにより外筒６のスライド操作が容易となる。また、外筒６と鍔状部８とにより実質的にヘルメットの形態をなしているため、被把持物としての人形と一体化して見ると、人形がヘルメットを被っているように見え、視覚的効果を楽しむことができる。この外筒６と鍔状部８にはひいきチームのロゴマーク等をあしらって、実際に試合で用いられているヘルメットをデフォルメしてもよい。【００４６】
図６に示すように、逆止弁１１とＯリング１６は内筒７の上部から順に挿入され、図７Ａに示すように、逆止弁１１は内筒７の段部１３ａに、Ｏリング１６は内筒７の段部１３ｂにそれぞれ係合するように設けられる。バネ１０は内筒７に覆設され、バネ１０の外周側には外筒６が内筒７に覆設される。すなわち、バネ１０は内筒７と外筒６との間に設けられ、内筒７の段部１３ｃと外筒６の段部１３ｄとにより支持されている。これにより、外筒６のスライドはバネ１０の付勢力により制御される。また、図７Ｂに示すように、シール部材としてＯリング１６の代わりに平パッキン１６'を用いてもよい。【００４７】
なお、図示はしないが、本体Ａの内筒７の一端部には外筒６を取り付けるための係合溝が形成されている。外筒６の内周面に取り付けられるストップリング９をこの係合溝に係合固定させることで内筒７に覆設された外筒６の抜け止めを行う。また、内筒７の外周端部には小穴５が形成されている。この小穴５には小球１２が求遠心方向に移動自在に挿入されている。すなわち、小穴５の幅は、内筒７の外径側は小球の直径より広く、内筒７の内径側は小球が求心方向に脱落しないが一部突出できる程度に形成されている。【００４８】
円筒状体で形成された多機能ホルダー１は、一端から他端まで貫通孔Ｘを有しており、被把持物として一端に風船を把持し、他端から空気を吹き込むことで風船を膨らませることができる。この貫通孔Ｘの孔径は把持手段３から吹込み口２に向けて縮径されている。なお、図６においては、小穴５は４箇所に形成されているが、小穴の数はいくつでもよい。【００４９】
ここで、図示はしないが、外筒６をさらに開口部端から半径方向へ拡径して開口部を広げて形成し、空気を吹き込んで膨らんだ風船が外筒６の開口縁に支持させるようにすることもできる。これにより、風船は安定することとなり、風船を確実に上方へ向けて飛ばすことができる。また、人形とヘルメット形状をなした外筒とを一体化させてマスコットの視覚的効果を持たせたデフォルメを実現できる。なお、ユーザの間では風船の空気導入口付近１０ｃｍ程を手で握って膨らませないようにして、風船の先の方をより膨らませることでより遠くに風船を飛ばすことが行われているが、同様に吹込み口方向を幅狭にして外筒を形成すれば、かかる効果を実現することもできる。【００５０】
次に、多機能ホルダー１の使用手順について説明する。野球場等において飛ばすジェット風船の空気導入口には、通常、リング状の口筒が装着されている。したがって、リング状口筒１４の突出部１５を、外筒６の段部１３ｄにより求心方向へ押圧されている小球１２で係止することにより、被把持物を把持する。また、Ｏリング１６は、リング状口筒１４の一端と係合しているため風船の吹込み口をシーリングして空気の漏れを防ぐ。このＯリング１６は、リング状口筒１４の周面と同様に円形状をなしているため、該周面を均等にシーリングすることができる。また、非把持物が人形の場合は、このＯリング１６は、リング状口筒１４を装着した人形をより強力に固定するための固定手段として用いられる。また、シール部材として平パッキン１６'を用いた場合はその縦断面が矩形となっているので、その縦断面が円形となっているＯリング１６を用いた場合に対し、段部１３ｂと風船のリング状口筒１４とに対し確実に面接触となり、より強力なシール性を担保することができる。特に、風船のリング状口筒１４はその孔径にバラツキがあるため、Ｏリング１６では点接触となりシール性が担保できないような場合も考えられるが、平パッキン１６'を用いることでこのような事態を防ぐことができる。この平パッキン１６'は、独立発泡型のスポンジから形成されたものを用いた場合には、低反発で優れた衝撃吸収性から着脱に負担がなく、また低圧力でもさらに効果的なシール性を確保することができる。【００５１】
リング状口筒１４を把持した後は、吹込み口２から空気を吹込み、風船を膨らませる。このとき、内筒７の段部１３ａに設けられている逆止弁１１は、逆止弁１１が有する弁体（図示省略）の働きにより、風船に吹き込んだ空気の逆圧による逆流を防止し、一方、吹込み口２からの送風に対しては空気圧がかかると弁体を開口させ、空気を風船内に取り入れることができる。これにより、風船を飛ばす所定のタイミングまで風船を膨らませたまま待機することができる。【００５２】
所定の大きさまで風船を膨らませた後、風船を飛ばす際には外筒６を吹込み口２方向へスライドさせる。これにより、リング状口筒１４と小球１２との係止状態がリリースされ、膨らんだ風船内の圧縮空気により風船が飛び出す付勢力が作用し、多機能ホルダー１から飛び出すこととなる。具体的には、リング状口筒１４の突出部１５は小球１２で係止されているが、外筒６を吹込み口２方向へスライドすることにより小球１２を押圧していた外筒６の段部１３ｄも押し下げられ、小穴５よりも幅狭に形成された小球１２が遠心方向又は求心方向へ移動自在の状態となる。したがって、小球１２は突出部１５を係止することができなくなり、リング状口筒１４の係止状態がリリースされる。なお、被把持物が人形の場合も同様に、人形に装着されたリング状口筒１４の突出部１５を小球１２を用いて係止・リリースを行うことで着脱が可能となる。【００５３】
なお、外筒６をスライドする際には、外筒６に形成された鍔状部８に指を掛けることによって行ってもよい。鍔状部８は、片手で外筒６をスライドできるよう、握り部４と鍔状部８との間の長さは長くても親指一本分の長さであることが好ましい。このとき、鍔状部８は親指又は人差し指のいずれか一本の指で支持し、対向する外筒６の開口縁端部を他方の指で支持することで、吹込み口２方向へ向けてスライドすることができる。親指の長さは人によって様々であるので、例えば、大人用と子供用、男性用と女性用等様々な大きさに形成することができる。また、適宜、首から多機能ホルダーをぶら下げるためのストラップをストラップ取付部４１に取り付けたり、吹込み口にキャップを取り付けたりすることもできる。【００５４】
図８に示すように、風船への空気の吹き込み手段として、ポンプＣを用いることもできる。ポンプＣは、好ましくはゴム等の弾性体よりなる略レモン状の中空部材からなり、その一端のパイプ部１７は空気の吹込み口２の一部又は全部を覆うように本体Ａに気密に装着され、他端は空気を取り入れるための吸入逆止弁１８を有している。空気の送入は、レモン状のポンプＣの膨出部を握ることで中空のポンプＣ内の空気がパイプ部１７から本体Ａの貫通孔Ｘに連通して風船内に送り込まれる。ポンプＣの握った膨出部を放せば空気の吸入口１９からポンプＣ内に空気が充填されるので、風船を膨らませるには、ポンプＣを握って放す操作を複数回繰り返せばよい。本体Ａには逆止弁１１が設けられているので、風船内の空気が逆流していつまでも風船が膨らまないという事態を防ぐことができる。ここで、通常風船への息の吹き込みは心臓にかなりの負担をかけるため、お年寄りや子供などが使用する際には事故に繋がるおそれがあるが、このポンプＣを用いればかかるおそれがなくなる。なお、ポンプＣは図８に示すような形態に限られるものでなく、その他の形態のものも含まれる。また、ポンプＣは手動のもののみならず自動のものも用いることができる。【００５５】
また、図９に示すように、多機能ホルダーの被把持物Ｂとして取り付けたマスコットがそのままポンプを兼用し、ポンプＣ'を備えることもできる。このような構成とすれば、風船を使用しない場合はマスコット人形を首からぶら下げたり手に持ったりすることができ、風船を使用する場合はこのマスコット人形をポンプとして用いて風船に空気を供給することができ、別途ポンプを用意する手間が省け、かつ手荷物を少なくすることができる。このポンプＣ'は、図示はしないがポンプＣと同様に吸入逆止弁１８と空気の吸入口１９を有しており、マスコットの体部分を握って放す操作を複数回繰り返すことで風船内に空気を供給することができる。さらに、被把持物Ｂとして取り付けたマスコットは空気の吹込み口のキャップとして兼用することもできる。【００５６】
また、図示はしないが、被把持物Ｂとしてペットボトルやカップ入りのジュースのホルダーや笛や発光体等の応援グッズを用いて、ストラップを介して首からぶら下げられるようにしてもよい。このような構成にすれば、一つの部材で様々な使い方ができ、よりスポーツ観戦等を楽しむことができる。
【図１】
2006115179.tif 000002
【図２】
2006115179.tif 000003
【図３】
2006115179.tif 000004
【図４】
2006115179.tif 000005
【図５】
2006115179.tif 000006
【図６】
2006115179.tif 000007
【図７】
2006115179.tif 000008
【図８】
2006115179.tif 000009
【図９】
2006115179.tif 000010
【図１０】
2006115179.tif 000011
【図１１】
2006115179.tif 000012
【図１２】
2006115179.tif 000013
【手続補正書】
【提出日】平成19年4月12日(2007.4.12)
【手続補正１】
【補正対象書類名】特許請求の範囲
【補正対象項目名】全文
【補正方法】変更
【補正の内容】
【特許請求の範囲】
【請求項１】
一端の開口部に空気の吹込み口、他端の開口部に把持手段を備え、かつ前記一端の開口部から他端の開口部までが貫通孔で連通された筒状体からなる本体を有する風船ホルダーであって、
前記把持手段は、内筒と、前記内筒の外周側にスライド可能に覆設された外筒と、前記内筒の外周面から内周面まで貫通された複数個の小穴と、前記小穴の内周面側の径よりも若干大きな外径を備え前記小穴にその一部が挿入されるとともに前記外筒の内周面により押圧される小球と、を備えており、前記小球が前記外筒の内周面に押圧されることで前記小球の一部が内筒内に突出することにより風船に装着されたリング状口筒を把持し、前記吹込み口が設けられた方向へ前記外筒をスライドさせることにより前記小球の押圧状態を解除する把持・リリース機構で構成され、前記風船のリング状口筒をシール部材を用いて気密に把持できることを特徴とする風船ホルダー。
【請求項２】
（削除）
【請求項３】
前記把持手段は、前記風船に代えてマスコットからなる被把持物を把持することができ、前記把持手段が前記被把持物を把持することにより前記外筒が前記マスコットの一部となることを特徴とする請求の範囲１に記載の風船ホルダー。
【請求項４】
（削除）
【請求項５】
前記シール部材は、独立発泡型のスポンジからなる平パッキンであることを特徴とする請求の範囲１に記載の風船ホルダー。
【請求項６】
（削除）
【請求項７】
前記他端の開口部は、半径方向に拡径していることを特徴とする請求の範囲２に記載の風船ホルダー。
【請求項８】
前記貫通孔には、前記他端の開口部から、前記一端の開口部へ流れる空気を遮断する逆止弁が装着されていることを特徴とする請求の範囲１に記載の風船ホルダー。
【請求項９】
前記他端の開口部には、ポンプが装着されていることを特徴とする請求の範囲１に記載の風船ホルダー。
【請求項１０】
前記本体の一部には、ストラップを取り付けるためのストラップ取付手段が形成されていることを特徴とする請求の範囲１に記載の風船ホルダー。
【請求項１１】
前記吹込み口には、キャップが取り付けられていることを特徴とする請求の範囲１に記載の風船ホルダー。
【手続補正３】
【補正対象書類名】明細書
【補正対象項目名】０００１
【補正方法】変更
【補正の内容】
【０００１】
技術分野
［０００１］
風船を取付けて把持することが可能であり、かつ風船取付時には風船に空気を吹込み、この風船を空中へ飛翔させることができる風船ホルダーに関する。
背景技術
［０００２］
子供の玩具として、またスポーツ観戦、特に野球観戦やサッカー観戦においてファンがひいきチーム応援の一環として、風船を一斉に飛翔させたりすることが慣習として行われている。
［０００３］
ここで、例えば野球観戦時における風船の飛翔は所定回に行われるが、飛翔させるための事前準備、具体的には、風船を取り出し、その中へ空気を吹込み、飛ばす等の準備は、概ね飛翔させる回の前の相手方チームの攻撃中に行われている。
風船への空気の吹込みは、風船の大きさによって異なるが、１回の吹込みのみでは不足し、通常、２〜３回に分けて行われ、空気が吹き込まれた風船は空気がもれないように吹込み口を２本の指先で挟むことにより保持されている。
［０００４］
ところが、試合の状況により相手方チームの攻撃が予測時間以上に長引き、飛翔させるタイミングが予測と違ってしまうことがある。このような場合、空気が吹き込まれた風船の吹込み口は長い時間指先で空気が漏れないようにして挟持し続けなければならず、この挟持には力がいるため子供にとっても大人にとっても苦痛になってしまうことがある。この苦痛は、両方の手に１個ずつ保持している場合は、更に増大し、待ちきれずにせっかく封入した空気を抜いてしまい、再度、吹き込まなければならない事態も生じ、そうなると、飛翔するタイミングを失してしまうことがある。
［０００５］
このような観点からの不都合を解消することを目的とした従来技術として、風船に空気を吹込み、この風船を空中へ飛翔させる風船飛翔玩具等について、いくつか特許文献に開示されている（例えば、下記特許文献１〜３参照）。
【手続補正４】
【補正対象書類名】明細書
【補正対象項目名】０００３
【補正方法】変更
【補正の内容】
【０００３】
［０００９］
［００１０］
特許文献１：実開平７−１９９４号公報（図３、段落〔０００４〕）
特許文献２：実開昭６３−１５９４号公報（請求項１）
特許文献３：実開昭５９−１９０９８０号公報（考案の詳細な説明）
発明の開示
発明が解決しようとする課題
［００１１］
しかし、上記特許文献１及び２に記載の「風船飛翔玩具」及び「風船玩具」の発明によれば、本体部分と持ち手部分とが別体で構成されているため、装置全体が大きくなってしまい、メガホン等の他の応援グッズをも有している観戦ファンにとっては荷物がかさばる原因となるのみならず、複数部材で構成されているために故障しやすいものとなっていた。また、風船を把持するための手段が、風船の空気導入口部分の一端部を片持ちで係止するのみでは、均等に風船を把持することができず、スムーズに風船をリリースできないことから、狙った方向に確実に風船を飛ばすことができなかった。
［００１２］
また、上記特許文献３に記載の「風船ポンプ」の発明によれば、簡単に風船を膨らませることはできても、それ自体で風船を飛ばすことができず、上述のような所望の目的を果たすことができない。
［００１３］
［００１４］
本願の発明者は、上記の従来技術の問題点を解消すべく種々検討を重ねた結果、筒状で形成された小型かつ簡単な構成からなる、風船を取付可能な本体を備えた風船ホルダーにおいて、風船を取り付け後、風船を膨らませてさらに飛ばすことができる風船ホルダーを提供するに至った。
課題を解決するための手段
【手続補正５】
【補正対象書類名】明細書
【補正対象項目名】０００４
【補正方法】変更
【補正の内容】
【０００４】
［００１５］
上記課題を解決するために、本発明の風船ホルダーは、一端の開口部に空気の吹込み口、他端の開口部に把持手段を備え、かつ前記一端の開口部から他端の開口部までが貫通孔で連通された筒状体からなる本体を有する風船ホルダーであって、
前記把持手段は、内筒と、前記内筒の外周側にスライド可能に覆設された外筒と、前記内筒の外周面から内周面まで貫通された複数個の小穴と、前記小穴の内周面側の径よりも若干大きな外径を備え前記小穴にその一部が挿入されるとともに前記外筒の内周面により押圧される小球と、を備えており、前記小球が前記外筒の内周面に押圧されることで前記小球の一部が内筒内に突出することにより風船に装着されたリング状口筒を把持し、前記吹込み口が設けられた方向へ前記外筒をスライドさせることにより前記小球の押圧状態を解除する把持・リリース機構で構成され、前記風船のリング状口筒をシール部材を用いて気密に把持できることを特徴とするものである。
［００１６］
［００１７］
また本発明は、前記風船ホルダーにおいて、前記把持手段は、前記風船に代えてマスコットからなる被把持物を把持することができ、前記把持手段が前記被把持物を把持することにより前記外筒が前記マスコットの一部となることを特徴とするものである。
［００１８］
［００１９］
また本発明は、前記風船ホルダーにおいて、前記シール部材は、独立発泡型のスポンジからなる平パッキンであることを特徴とするものである。
［００２０］
［００２１］
また本発明は、前記風船ホルダーにおいて、前記他端の開口部は、半径方向に拡径していることを特徴とするものである。
［００２２］
また本発明は、前記風船ホルダーにおいて、前記貫通孔には、前記他端の開口
【手続補正６】
【補正対象書類名】明細書
【補正対象項目名】０００５
【補正方法】変更
【補正の内容】
【０００５】
部から、前記一端の開口部へ流れる空気を遮断する逆止弁が装着されていることを特徴とするものである。
［００２３］
また本発明は、前記風船ホルダーにおいて、前記他端の開口部には、ポンプが装着されていることを特徴とするものである。
［００２４］
また本発明は、前記風船ホルダーにおいて、前記本体の一部には、ストラップを取り付けるためのストラップ取付手段が形成されていることを特徴とするものである。
［００２５］
また本発明は、前記風船ホルダーにおいて、前記吹込み口には、キャップが取り付けられていることを特徴とするものである。
発明の効果
［００２６］
本発明においては、風船ホルダーは、一端の開口部から他端の開口部までが貫通孔で連通された筒状体からなる本体を主構成部分とするので、小型で簡単な構成であり、使い勝手がよく便利である上、荷物のかさばりを防ぐこともできる。また、把持手段は、内筒の外周面から内周面まで貫通された複数個の小穴にその一部が挿入される小球が、内筒の外周側に覆設された外筒の内周面により押圧され内筒内に一部突出してリング状口筒を把持するので、確実に風船の脱落を防止できる。
また、把持・リリース機構は、吹込み口が設けられた方向へ外筒をスライドさせることにより小球の押圧状態を均等に解除するので、確実に風船を取り外し又は狙った方向に確実に風船を飛翔させることができる。
［００２７］
［００２８］
また、上記発明においては、把持手段は、風船に代えてマスコットからなる被把持物を把持することができ、把持手段がマスコットを把持することにより外筒が前記マスコットの一部となるので、被把持物と外筒とが一体となってマスコットの視覚的効果を楽しむことができ、スポーツ観戦等の応援グッズとしてチームのマスコット人形や選手のデフォルメ人形等を身に付けることができる。
【手続補正７】
【補正対象書類名】明細書
【補正対象項目名】０００６
【補正方法】変更
【補正の内容】
【０００６】
［００２９］
［００３０］
また、上記発明においては、シール部材は、平パッキンであるので、風船のリング状口筒と風船ホルダー本体との間を面接触してより効果的なシール性を有し、また独立発泡型のスポンジからなるので、着脱に負担がなく低圧力でもさらに効果的なシール性を有する。
［００３１］
［００３２］
また、上記発明においては、外筒の開口縁は、半径方向に拡径しているので、空気が吹き込まれて膨らんだ風船を支持することができ、風船の動きを規制し狙った方向へ風船を飛ばすことができる。
［００３３］
また、上記発明においては、貫通孔には、風船内へ吹き込まれた空気が吹込み口側へ逆流するのを阻止する逆止弁が装着されているので、風船の空気導入口を指等で挟持しなくても、吹き込んだ空気が逆流して風船がしぼんでしまう心配がなく、風船を飛ばす所定のタイミングまで楽に待機することができる。
［００３４］
また、上記発明においては、空気の吹き込み口側の開口部には、ポンプが装着されているので、直接息を吹き込む必要がなくポンプの膨出部を握るように操作するのみで楽に空気を送入することができる。
［００３５］
また、上記発明においては、本体の一部には、ストラップを取り付けるためのストラップ取付手段が形成されているので、ストラップを用いて風船ホルダーを首から下げたり、カバンに結んだりすることができるので、携帯性が向上する。
［００３６］
また、上記発明においては、前記吹込み口には、キャップが取り付けられているので、風船ホルダーの不使用時には、吹込み口からゴミが入り込まないようにして、ゴミの侵入による筒内の逆止弁の故障を防ぎ、また、吹込み口の清潔を保つことができる。
図面の簡単な説明
［００３７］
［図１］図１は、被把持物として風船に代えてマスコット人形を取り付けた参考例に係る風船ホルダー
【手続補正８】
【補正対象書類名】明細書
【補正対象項目名】０００７
【補正方法】変更
【補正の内容】
【０００７】
の正面図。
［図２］図２は本発明に係る風船ホルダーの本体の正面図。
［図３］図３は本発明に係る風船ホルダーの本体の側面図。
［図４］図４は本発明に係る風船ホルダーの本体の底面側斜視図。
［図５］図５は本発明に係る風船ホルダーの本体の底面図。
［図６］図６は本発明に係る風船ホルダーの本体の分解斜視図。
［図７］図７は本発明に係る風船ホルダーの本体の一部断面図であり、図７Ａはシール部材としてＯリングを用いた風船ホルダーを示す図、図７Ｂはシール部材として平パッキンを用いた風船ホルダーを示す図。
［図８］図８は本発明に係る風船ホルダーの他の実施形態を示す本体の一部断面図。
［図９］図９は本発明に係る風船ホルダーの他の実施形態を示す本体の正面図。
［図１０］図１０は上記特許文献１に記載された風船飛翔玩具の断面図。
［図１１］図１１は上記特許文献２に記載されている空気ポンプを備えた風船玩具の断面図。
［図１２］図１２は上記特許文献３に記載されている風船ポンプの斜視図。
符号の説明
［００３８］
Ａ              本体
Ｂ              被把持物
Ｃ              ポンプ
１              風船ホルダー
２              吹込み口
３              把持手段
４              握り部
５              小穴
６              外筒
７              内筒
８              鍔状部
【手続補正９】
【補正対象書類名】明細書
【補正対象項目名】０００８
【補正方法】変更
【補正の内容】
【０００８】
９              ストップリング
１０            バネ
１１            逆止弁
１２            小球
１３ａ〜１３ｄ  段部
１４            リング状口筒
１５            突出部
１６            Ｏリング
１６’          平パッキン
２１            吹込み口の先端部
４１            ストラップ取付部
４２            プレート取付部
発明を実施するための最良の形態
［００３９］
以下、本発明の具体例を実施例及び図面を用いて詳細に説明する。なお、図１は被把持物として風船に代えてマスコット人形を取り付けた参考例に係る風船ホルダーの正面図、図２は本発明に係る風船ホルダーの本体の正面図、図３は本発明に係る風船ホルダーの本体の側面図、図４は本発明に係る風船ホルダーの本体の底面側斜視図、図５は本発明に係る風船ホルダーの本体の底面図、図６は本発明に係る風船ホルダー体の分解斜視図、図７は本発明に係る風船ホルダーの本体の一部断面図であり、図７Ａはシール部材としてＯリングを用いた風船ホルダーを示す図、図７Ｂはシール部材として平パッキンを用いた風船ホルダーを示す図、図８は本発明に係る風船ホルダーの他の実施形態を示す本体の一部断面図である。図９は本発明に係る風船ホルダーの他の実施形態を示す本体の正面図である。
実施例１
［００４０］
まず、風船ホルダー１の構成について、図１〜図７を用いて説明する。ここで、図１には、参考例として、風船ホルダー１を本体Ａと風船以外の被把持物Ｂとからなる構成で示し、この被把持物の例としては野球選手のマスコット人形が示されている。本体Ａはこのマスコット人形の頭部を構成し、被把持物
【手続補正１０】
【補正対象書類名】明細書
【補正対象項目名】０００９
【補正方法】変更
【補正の内容】
【０００９】
Ｂと一体となって一つのマスコット人形を形成させることもできる。以下には、風船を取り付けた場合の本体の構成を中心に説明する。
［００４１］
図１〜図４に示すように、風船ホルダー１の本体Ａは、一端の開口部に空気の吹込み口２と、他端の開口部に把持手段３と、吹込み口２と把持手段３との間に握り部４を備え、一端の開口部から他端の開口部までが貫通孔Ｘで連通された筒状体からなる。なお、風船ホルダー１の本体Ａは、吹込み口２と、握り部４と、内筒７と、内筒７の外周端部に形成された小穴５とから構成され、図５及び図６に示されている。
［００４２］
空気の吹込み口２は、円形の開口を有し、ポンプ等の空気吹込み機器が外れにくいよう先端部２１は膨出した形状となっている。この開口幅は空気吹込み機器を取り付けやすいような幅、若しくは人の口の大きさに合わせた幅に形成されている。人の口の大きさは人によって様々であるので、例えば、大人用と子供用、男性用と女性用等様々な大きさに形成することができる。
［００４３］
図５及び図６に示すように、把持手段３は、小穴５と、外筒６と、内筒７と、鍔状部８と、ストップリング９と、バネ１０と、小球１２と、Ｏリング１６とを備えている。複数個の小穴５は、内筒７の外周端部に形成されており、これらの小穴５には小球１２が挿入される。
［００４４］
握り部４は、波状に形成されており、風船ホルダー１を確実に握持できるように握りやすくなっている。なお、握り部４は人の手の大きさに合わせて形成されるが、人の手の大きさは人によって様々であるので、例えば、大人用と子供用、男性用と女性用等様々な大きさに形成することができる。握り部４の吹込み口２側の一側端にはストラップを取り付けるためのストラップ取付部４１が形成されている。また、握り部４の中央部分には矩形状に凹部をなしたプレート取付手段４２が形成されており、自分のネームプレートやひいきチームのロゴ入りプレート等を取り付けることができるようになっている。
［００４５］
また、ほぼ椀型に握り部４の一端から半径方向へ広げて形成された外筒６の開口縁には、水平方向に延出された鍔状部８が形成されている。この鍔状部８は開口部分から突出しているため、指を掛けやすくなっており、これにより外筒６のスライド操作が容易となる。また、外筒６と鍔状部８とにより実質的にヘルメットの形態をなしているた
【手続補正１１】
【補正対象書類名】明細書
【補正対象項目名】００１０
【補正方法】変更
【補正の内容】
【００１０】
め、被把持物としてマスコット人形を取り付けた場合には、人形と一体化して見ると、人形がヘルメットを被っているように見え、視覚的効果を楽しむことができる。この外筒６と鍔状部８にはひいきチームのロゴマーク等をあしらって、実際に試合で用いられているヘルメットをデフォルメしてもよい。
［００４６］
図６に示すように、逆止弁１１とＯリング１６は内筒７の上部から順に挿入され、図７Ａに示すように、逆止弁１１は内筒７の段部１３ａに、Ｏリング１６は内筒７の段部１３ｂにそれぞれ係合するように設けられる。バネ１０は内筒７に覆設され、バネ１０の外周側には外筒６が内筒７に覆設される。すなわち、バネ１０は内筒７と外筒６との間に設けられ、内筒７の段部１３ｃと外筒６の段部１３ｄとにより支持されている。これにより、外筒６のスライドはバネ１０の付勢力により制御される。また、図７Ｂに示すように、シール部材としてＯリング１６の代わりに平パッキン１６’を用いてもよい。
［００４７］
なお、図示はしないが、本体Ａの内筒７の一端部には外筒６を取り付けるための係合溝が形成されている。外筒６の内周面に取り付けられるストップリング９をこの係合溝に係合固定させることで内筒７に覆設された外筒６の抜け止めを行う。また、内筒７の外周端部には小穴５が形成されている。この小穴５には小球１２が求遠心方向に移動自在に挿入されている。すなわち、小穴５の幅は、内筒７の外径側は小球の直径より広く、内筒７の内径側は小球が求心方向に脱落しないが一部突出できる程度に形成されている。
［００４８］
円筒状体で形成された風船ホルダー１は、一端から他端まで貫通孔Ｘを有しており、一端に風船を把持し、他端から空気を吹き込むことで風船を膨らませることができる。この貫通孔Ｘの孔径は把持手段３から吹込み口２に向けて縮径されている。なお、図６においては、小穴５は４箇所に形成されているが、小穴の数はいくつでもよい。
［００４９］
ここで、図示はしないが、外筒６をさらに開口部端から半径方向へ拡径して開口部を広げて形成し、空気を吹き込んで膨らんだ風船が外筒６の開口縁に支持させるようにすることもできる。これにより、風船は安定することとなり、風船を確実に上方へ向けて飛ばすことができる。また、被把持物として人形とヘルメット形状をなした外筒とを一体化させてマスコットの視覚的効果を持たせたデフォルメを実現できる。なお、ユーザの間では風
【手続補正１２】
【補正対象書類名】明細書
【補正対象項目名】００１１
【補正方法】変更
【補正の内容】
【００１１】
船の空気導入口付近１０ｃｍ程を手で握って膨らませないようにして、風船の先の方をより膨らませることでより遠くに風船を飛ばすことが行われているが、同様に吹込み口方向を幅狭にして外筒を形成すれば、かかる効果を実現することもできる。
［００５０］
次に、風船ホルダー１の使用手順について説明する。野球場等において飛ばすジェント風船の空気導入口には、通常、リング状の口筒が装着されている。したがって、リング状口筒１４の突出部１５を、外筒６の段部１３ｄにより求心方向へ押圧されている小球１２で係止することにより、風船を把持する。また、Ｏリング１６は、リング状口筒１４の一端と係合しているため風船の吹込み口をシーリングして空気の漏れを防ぐ。このＯリング１６は、リング状口筒１４の周面と同様に円形状をなしているため、該周面を均等にシーリングすることができる。また、被把持物として人形を用いる場合は、このＯリング１６は、リング状口筒１４を装着した人形をより強力に固定するための固定手段として用いられる。また、シール部材として平パッキン１６’を用いた場合はその縦断面が矩形となっているので、その縦断面が円形となっているＯリング１６を用いた場合に対し、段部１３ｂと風船のリング状口筒１４とに対し確実に面接触となり、より強力なシール性を担保することができる。特に、風船のリング状口筒１４はその孔径にバラツキがあるため、Ｏリング１６では点接触となりシール性が担保できないような場合も考えられるが、平パッキン１６’を用いることでこのような事態を防ぐことができる。この平パッキン１６’は、独立発泡型のスポンジから形成されたものを用いた場合には、低反発で優れた衝撃吸収性から着脱に負担がなく、また低圧力でもさらに効果的なシール性を確保することができる。
［００５１］
リング状口筒１４を把持した後は、吹込み口２から空気を吹込み、風船を膨らませる。このとき、内筒７の段部１３ａに設けられている逆止弁１１は、逆止弁１１が有する弁体（図示省略）の働きにより、風船に吹き込んだ空気の逆圧による逆流を防止し、一方、吹込み口２からの送風に対しては空気圧がかかると弁体を開口させ、空気を風船内に取り入れることができる。これにより、風船を飛ばす所定のタイミングまで風船を膨らませたまま待機することができる。
［００５２］
所定の大きさまで風船を膨らませた後、風船を飛ばす際には外筒６を吹込み口２方向へスライドさせる。これにより、リング状口筒１４と小球１２との係止状態がリリースさ
【手続補正１３】
【補正対象書類名】明細書
【補正対象項目名】００１２
【補正方法】変更
【補正の内容】
【００１２】
れ、膨らんだ風船内の圧縮空気により風船が飛び出す付勢力が作用し、風船ホルダー１から飛び出すこととなる。具体的には、リング状口筒１４の突出部１５は小球１２で係止されているが、外筒６を吹込み口２方向へスライドすることにより小球１２を押圧していた外筒６の段部１３ｄも押し下げられ、小穴５よりも幅狭に形成された小球１２が遠心方向又は求心方向へ移動自在の状態となる。したがって、小球１２は突出部１５を係止することができなくなり、リング状口筒１４の係止状態がリリースされる。なお、被把持物として人形を用いた場合も同様に、人形に装着されたリング状口筒１４の突出部１５を小球１２を用いて係止・リリースを行うことで着脱が可能となる。
［００５３］
なお、外筒６をスライドする際には、外筒６に形成された鍔状部８に指を掛けることによって行ってもよい。鍔状部８は、片手で外筒６をスライドできるよう、握り部４と鍔状部８との間の長さは長くても親指一本分の長さであることが好ましい。このとき、鍔状部８は親指又は人差し指のいずれか一本の指で支持し、対向する外筒６の開口縁端部を他方の指で支持することで、吹込み口２方向へ向けてスライドすることができる。親指の長さは人によって様々であるので、例えば、大人用と子供用、男性用と女性用等様々な大きさに形成することができる。また、適宜、首から風船ホルダーをぶら下げるためのストラップをストラップ取付部４１に取り付けたり、吹込み口にキャップを取り付けたりすることもできる。
［００５４］
図８に示すように、風船への空気の吹き込み手段として、ポンプＣを用いることもできる。ポンプＣは、好ましくはゴム等の弾性体よりなる略レモン状の中空部材からなり、その一端のパイプ部１７は空気の吹込み口２の一部又は全部を覆うように本体Ａに気密に装着され、他端は空気を取り入れるための吸入逆止弁１８を有している。空気の送入は、レモン状のポンプＣの膨出部を握ることで中空のポンプＣ内の空気がパイプ部１７から本体Ａの貫通孔Ｘに連通して風船内に送り込まれる。ポンプＣの握った膨出部を放せば空気の吸入口１９からポンプＣ内に空気が充填されるので、風船を膨らませるには、ポンプＣを握って放す操作を複数回繰り返せばよい。本体Ａには逆止弁１１が設けられているので、風船内の空気が逆流していつまでも風船が膨らまないという事態を防ぐことができる。ここで、通常風船への息の吹き込みは心臓にかなりの負担をかけるため、お年寄りや子供などが使用する際には事故に繋がるおそれがあ
【手続補正１４】
【補正対象書類名】明細書
【補正対象項目名】００１３
【補正方法】変更
【補正の内容】
【００１３】
るが、このポンプＣを用いればかかるおそれがなくなる。なお、ポンプＣは図８に示すような形態に限られるものでなく、その他の形態のものも含まれる。また、ポンプＣは手動のもののみならず自動のものも用いることができる。
［００５５］
また、図９に示すように、風船ホルダーのその他の被把持物Ｂとしてマスコットを取り付けた場合には、そのマスコットがそのままポンプを兼用し、ポンプＣ’を備えることもできる。このような構成とすれば、風船を使用しない場合はマスコット人形を首からぶら下げたり手に持ったりすることができ、風船を使用する場合はこのマスコット人形をポンプとして用いて風船に空気を供給することができ、別途ポンプを用意する手間が省け、かつ手荷物を少なくすることができる。このポンプＣ’は、図示はしないがポンプＣと同様に吸入逆止弁１８と空気の吸入口１９を有しており、マスコットの体部分を握って放す操作を複数回繰り返すことで風船内に空気を供給することができる。さらに、被把持物Ｂとして取り付けたマスコットは空気の吹込み口のキャップとして兼用することもできる。
［００５６］
また、図示はしないが、被把持物Ｂとしてペットボトルやカップ入りのジュースのホルダーや笛や発光体等の応援グッズを用いて、ストラップを介して首からぶら下げられるようにしてもよい。このような構成にすれば、一つの部材で様々な使い方ができ、よりスポーツ観戦等を楽しむことができる。
【国際調査報告】
2006115179.tif 000014
2006115179.tif 000015
2006115179.tif 000016
2006115179.tif 000017